(57)【要約】本発明は、患者の状態に応じて検査間の移動時間を考慮することで、検査リソースを有効に活用することを課題とする。データ管理システムは、複数の検査の検査名を含む検査項目、検査場所、診察場所、および検査所要時間を少なくとも含む検査情報を記憶する記憶部と、検査対象となる患者を識別するための識別子および重症度に関する患者情報を取得する取得部と、患者情報と、検査情報とに基づいて、患者に応じて、終了した検査または診察が行われた検査場所または診断場所から、該検査または診察の次の検査又は診察が行われる次の検査場所または診察場所に移動するために必要な移動時間を算出する算出部と、検査情報、患者情報、および移動時間に基づいて、患者の検査スケジュールを生成する生成部とを備える。
2019044621.tif 000002
【特許請求の範囲】
【請求項１】
複数の検査の検査名を含む検査項目、検査が行われる検査場所、診察が行われる診察場所、および各検査に要する検査所要時間を少なくとも含む検査情報を記憶する記憶部と、
検査対象となる患者を識別するための識別子および重症度に関する患者情報を取得する取得部と、
前記患者情報と、前記検査情報とに基づいて、前記患者に応じて、終了した検査または診察が行われた検査場所または診察場所から、前記検査または診察の次の検査または診察が行われる次の検査場所または診察場所に移動するために必要な移動時間を算出する算出部と、
前記検査情報、前記患者情報、および前記移動時間に基づいて、前記患者の検査スケジュールを生成する生成部とを備える、データ管理システム。
【請求項２】
前記検査情報および前記患者情報の相関性について機械学習を行う学習部を更に備え、
前記生成部は、前記学習部の学習結果に基づいて前記検査スケジュールを生成する、請求項１に記載のデータ管理システム。
【請求項３】
前記取得部が複数の患者についての前記患者情報を取得した場合、
前記算出部は、前記複数の患者のそれぞれについて前記検査場所または診察場所から前記次の検査場所または診察場所に移動するために必要な移動時間を算出し、
前記生成部は、前記複数の患者それぞれの前記検査情報、前記患者情報、および前記移動時間に基づいて、前記複数の患者それぞれの前記検査スケジュールを生成する、請求項１または２に記載のデータ管理システム。
【請求項４】
前記生成部は、前記患者の状態が前記検査所要時間に影響を与える度合いに応じて、前記検査項目に含まれる前記検査名の検査に優先順位を設け、該優先順位を考慮した前記検査スケジュールを生成する、請求項１〜３のいずれか１項に記載のデータ管理システム。
【請求項５】
前記生成部は、前記取得部が緊急な患者が発生した情報を受け付けた場合、前記緊急な患者が優先的に検査を受けることができるように前記検査スケジュールを自動で更新する、請求項１〜４のいずれか１項に記載のデータ管理システム。
【請求項６】
前記患者情報は、前記患者の麻痺状態、年齢、意識レベル、認知レベル、および運動機能の少なくとも１つを含む、請求項１〜５のいずれか１項に記載のデータ管理システム。
【請求項７】
情報処理装置によって、複数の検査の検査名を含む検査項目、検査が行われる検査場所、診察が行われる診察場所、および各検査に要する検査所要時間を少なくとも含む検査情報を記憶し、
検査対象となる患者を識別するための識別子および重症度に関する患者情報を取得し、
前記患者情報と、前記検査情報とに基づいて、前記患者に応じて、終了した検査または診察が行われた検査場所または診察場所から、前記検査または診察の次の検査または診察が行われる次の検査場所または診察場所に移動するために必要な移動時間を算出し、
前記検査情報、前記患者情報、および前記移動時間に基づいて、前記患者の検査スケジュールを生成する、データ管理方法。
【請求項８】
前記情報処理装置によって、前記検査情報および前記患者情報の相関性について機械学習を行い、
前記機械学習の学習結果に基づいて前記検査スケジュールを生成する、請求項７に記載のデータ管理方法。
【請求項９】
複数の患者についての前記患者情報を取得した場合、
前記情報処理装置によって、前記複数の患者のそれぞれについて前記検査場所又は診察場所から前記次の検査場所または診察場所に移動するために必要な移動時間を算出し、
前記複数の患者それぞれの前記検査情報、前記患者情報、および前記移動時間に基づいて、前記複数の患者それぞれの前記検査スケジュールを生成する、請求項７または８に記載のデータ管理方法。
【請求項１０】
前記情報処理装置によって、前記患者の状態が前記検査所要時間に影響を与える度合いに応じて、前記検査項目に含まれる前記検査名の検査に優先順位を設け、該優先順位を考慮した前記検査スケジュールを生成する、請求項７〜９のいずれか１項に記載のデータ管理方法。
【請求項１１】
前記取得部が緊急な患者が発生した情報を受け付けた場合、前記情報処理装置によって、前記緊急な患者が優先的に検査を受けることができるように前記検査スケジュールを自動で更新する、請求項７〜１０のいずれか１項に記載のデータ管理方法。
【請求項１２】
前記患者情報は、前記患者の麻痺状態、年齢、意識レベル、認知レベル、および運動機能の少なくとも１つを含む、請求項７〜１１のいずれか１項に記載のデータ管理方法。
【請求項１３】
コンピュータに、
複数の検査の検査名を含む検査項目、検査が行われる検査場所、診察が行われる診察場所、および各検査に要する検査所要時間を少なくとも含む検査情報を記憶する処理と、
検査対象となる患者を識別するための識別子および重症度に関する患者情報を取得する処理と、
前記患者情報と、前記検査情報とに基づいて、前記患者に応じて、終了した検査または察が行われた検査場所または診察場所から、前記検査または診察の次の検査または診察が行われる次の検査場所または診察場所に移動するために必要な移動時間を算出する処理と、
前記検査情報、前記患者情報、および前記移動時間に基づいて、前記患者の検査スケジュールを生成する処理とを実行させる、データ管理プログラムを記録した記録媒体。
【請求項１４】
前記データ管理プログラムは、前記コンピュータに、
前記検査情報および前記患者情報の相関性について機械学習を行う処理と、
前記機械学習の学習結果に基づいて前記検査スケジュールを生成する処理とを実行させる、請求項１３に記載のデータ管理プログラム記録媒体。
【請求項１５】
前記データ管理プログラムは、前記コンピュータに、
複数の患者についての前記患者情報を取得した場合、
前記複数の患者のそれぞれについて前記検査場所又は診察場所から前記次の検査場所または診察場所に移動するために必要な移動時間を算出する処理と、
前記複数の患者それぞれの前記検査情報、前記患者情報、および前記移動時間に基づいて、前記複数の患者それぞれの前記検査スケジュールを生成する処理とを実行させる、請求項１３または１４に記載のデータ管理プログラム記録媒体。
【請求項１６】
前記データ管理プログラムは、前記コンピュータに、
前記患者の状態が前記検査所要時間に影響を与える度合いに応じて、前記検査項目に含まれる前記検査名の検査に優先順位を設け、該優先順位を考慮した前記検査スケジュールを生成する処理を実行させる、請求項１３〜１５のいずれか１項に記載のデータ管理プログラム記録媒体。
【請求項１７】
前記データ管理プログラムは、前記コンピュータに、
前記取得部が緊急な患者が発生した情報を受け付けた場合、前記緊急な患者が優先的に検査を受けることができるように前記検査スケジュールを自動で更新する処理を実行させる、請求項１３〜１６のいずれか１項に記載のデータ管理プログラム記録媒体。
【請求項１８】
前記患者情報は、前記患者の麻痺状態、年齢、意識レベル、認知レベル、および運動機能の少なくとも１つを含む、請求項１３〜１７のいずれか１項に記載のデータ管理プログラム記録媒体。
【発明の詳細な説明】
【技術分野】
【０００１】
本発明は、データ管理システム、データ管理方法、およびデータ管理プログラム記録媒体に関する。
【背景技術】
【０００２】
医療機関では多くの患者に対して複数の検査を実施するため、検査の待ち時間が発生しないように、予めそれぞれの患者についての検査スケジュールを作成することがある。【０００３】
特許文献１は、変動する検査時間に追従して最適な検査ワークフローを生成する診療ワークフローシステムを開示している。具体的には、特許文献１は、同一の検査を実施する検査装置ごとの終了予想時刻の差が所定の閾値を超えた場合に、検査装置それぞれの終了予想時刻が均等となるように、交代可能な検査装置間で患者を再配置している。
【先行技術文献】
【特許文献】
【０００４】
【特許文献１】特開２０１４−３５６４６号公報
【発明の概要】
【発明が解決しようとする課題】
【０００５】
しかしながら、特許文献１は、患者が複数の検査を受ける場合、検査場所に移動するために必要な時間を含めて検査スケジュールを生成することについて開示していない。この場合、特許文献１は、患者が検査を受けるために待ち時間が発生し、病院が多くの患者に対して検査を実施することができない可能性がある。【０００６】
本発明の目的は、上述の課題を解決できるデータ管理システム、データ管理方法、およびデータ管理プログラム記録媒体を提供することにある。
【課題を解決するための手段】
【０００７】
本発明の第１の態様のデータ管理システムは、複数の検査の検査名を含む検査項目、検査が行われる検査場所、診察が行われる診察場所、および各検査に要する検査所要時間を少なくとも含む検査情報を記憶する記憶部と、検査対象となる患者を識別するための識別子および重症度に関する患者情報を取得する取得部と、前記患者情報と、前記検査情報とに基づいて、前記患者に応じて、終了した検査または診察が行われた検査場所または診察場所から、前記検査または診察の次の検査または次の診察が行われる次の検査場所または診察場所に移動するために必要な移動時間を算出する算出部と、前記検査情報、前記患者情報、および前記移動時間に基づいて、前記患者の検査スケジュールを生成する生成部とを備える。【０００８】
本発明の第２の態様のデータ管理方法は、情報処理装置によって、複数の検査の検査名を含む検査項目、検査が行われる検査場所、診察が行われる診察場所、および各検査に要する検査所要時間を少なくとも含む検査情報を記憶し、検査対象となる患者を識別するための識別子および重症度に関する患者情報を取得し、前記患者情報と、前記検査情報とに基づいて、前記患者に応じて、終了した検査または診察が行われた検査場所または診察場所から、前記検査または診察の次の検査または次の診察が行われる次の検査場所または診察場所に移動するために必要な移動時間を算出し、前記検査情報、前記患者情報、および前記移動時間に基づいて、前記患者の検査スケジュールを生成する。【０００９】
本発明の第３の態様のデータ管理プログラム記録媒体は、コンピュータに、複数の検査の検査名を含む検査項目、検査が行われる検査場所、診察が行われる診察場所、および各検査に要する検査所要時間を少なくとも含む検査情報を記憶する処理と、検査対象となる患者を識別するための識別子および重症度に関する患者情報を取得する処理と、前記患者情報と、前記検査情報とに基づいて、前記患者に応じて、終了した検査または診察が行われた検査場所または診察場所から、前記検査または診察の次の検査または次の診察が行われる次の検査場所または診察場所に移動するために必要な移動時間を算出する処理と、前記検査情報、前記患者情報、および前記移動時間に基づいて、前記患者の検査スケジュールを生成する処理とを実行させるデータ管理プログラムを記録する。
【発明の効果】
【００１０】
本発明によれば、患者の状態に応じて検査間の移動時間を考慮することで、検査リソースを有効に活用できる検査スケジュールを生成するデータ管理システム、データ管理方法、およびデータ管理プログラム記録媒体を提供することができる。
【図面の簡単な説明】
【００１１】
【図１】本発明の第１の実施形態に係るデータ管理システムの構成を示すブロック図である。
【図２】検査情報の一例を示す図である。
【図３】患者情報の一例を示す図である。
【図４】患者の状態と、移動速度とを対応付けた速度情報の一例を示す図である。
【図５】患者の麻痺の状態と、移動時間とを対応付けた対応情報の一例を示す図である。
【図６Ａ】本発明の関連技術のデータ管理システムが生成する検査スケジュールの一例を示す図である。
【図６Ｂ】本発明の第１の実施形態に係るデータ管理システムが生成する検査スケジュールの一例を示す図である。
【図７】本発明の第１の実施形態に係るデータ管理システムの動作の流れを示すフローチャートである。
【図８】本発明の第１の実施形態に係るデータ管理システムが新たな検査スケジュールを生成する動作の流れを示すフローチャートである。
【図９】本発明の第２の実施形態に係るデータ管理システムの構成を示すブロック図である。
【図１０】本発明の第２の実施形態に係るデータ管理システムの動作の流れを示すフローチャートである。
【図１１】本発明の第１の実施形態および第２の実施形態に係るデータ管理システムのハードウエア構成の一例を示すブロック図である。
【発明を実施するための形態】
【００１２】
以下、図面を参照しながら、本発明の実施形態について詳細に説明する。なお、各図において、同一または相当する部分には同一の符号を付して適宜説明は省略する。
【００１３】
［第１の実施形態］
図１は、本発明の第１の実施形態に係るデータ管理システム１００の構成を示すブロック図である。
【００１４】
図１に示すように、データ管理システム１００は、記憶部１１０と、取得部１２０と、算出部１３０と、生成部１４０とを備える。
【００１５】
記憶部１１０は、複数の検査の検査名を含む検査項目、検査が行われる検査場所、診察が行われる診察場所、および各検査に要する検査所要時間を少なくとも含む検査情報を記憶している。図２は、記憶部１１０が保持する検査情報２００の一例である。図２に示すように、検査情報２００は、検査または診察の項目と、検査室または診察室の場所と、検査または診察にかかる時間を含んでいる。例えば、検査情報２００の一例として、検査名が「検査Ａ」の検査は、「検査室１０１」で実施され、その検査にかかる所要時間が「１０分」の検査であることを示している。ここで、検査所要時間は、検査に要する平均の時間であってもよいし、検査実施対象の患者ごとに設定された時間であってもよい。また、検査所要時間は、患者の状態に応じて設定された時間であってもよい。
【００１６】
取得部１２０は、検査対象となる患者を識別するための識別子と、患者の病状の重症度などの患者の状態とを含む患者情報３００を、データ管理システム１００の外部から取得する。ここで、患者を識別するための識別子とは、例えば、患者の氏名、および患者に個別に割り当てられた番号である患者ＩＤ（Identification）である。患者の状態とは、例えば、患者の麻痺状態、運動機能、年齢、意識レベル、および認知レベルである。取得部１２０が取得する患者の状態は、患者の麻痺状態、運動機能、年齢、意識レベル、および認知レベルのうち、１つであってもよいし、複数であってもよい。さらに、取得部１２０が取得する患者の状態は、患者の麻痺状態、運動機能、年齢、意識レベル、認知レベルに限定されない。具体的には、取得部１２０が取得する患者の状態には、患者がある検査場所または診察場所から次の検査場所または診察場所に移動するために必要な移動時間に、影響を与える情報が含まれていればよい。
【００１７】
麻痺状態および運動機能としては、例えば、ＭＭＴ（Manual Muscle Test：徒手筋力テスト）、ＦＩＭ（Functional Independence Measure：機能的自立度評価表）、およびＢＩ（Barthel Index：機能的評価）で判定できる値を使用すればよい。なお、本実施形態において、患者の運動機能を判定する方法はＭＭＴ、ＦＩＭ、およびＢＩに限定されず、その他の方法で患者の麻痺状態および運動機能を判定してもよい。
【００１８】
意識レベルおよび認知レベルとしては、例えば、ＪＣＳ（Japan Come Scale）および日常生活自立度で判定できる値を使用すればよい。なお、本実施形態において、意識レベルおよび認知レベルを判定する方法はＪＣＳおよび日常生活自立度に限定されず、その他の方法で患者の意識レベルおよび認知レベルを判定してもよい。
【００１９】
本実施形態においては、取得部１２０が、患者情報を外部から取得するものとして説明するが、これは例示であり、本発明を限定するものではない。例えば、データ管理システム１００において、記憶部１１０が患者情報を電子カルテとして保持していてもよい。この場合、取得部１２０は、外部から患者を識別するための識別子を取得する。そして、取得部１２０は、識別子に対応する患者情報を記憶部１１０から取得すればよい。
【００２０】
図３は、取得部１２０が取得する患者情報３００または記憶部１１０が保持する電子カルテとして保持する患者情報３００の一例を示す図である。
【００２１】
図３に示すように、患者情報３００は、患者ごとに、患者を識別するための識別子、年齢、性別、患者の状態、検査項目などを含む。具体的には、患者情報３００の一例として、例えば、患者ＩＤ「０００１」の患者氏名「ＡＡＡＡ」の患者は、年齢が「２４歳」の「男性」で、かつ患者の状態としてＭＭＴの点数が「４」であり、実施する検査項目が「検査Ａ」と「検査Ｃ」であることを示している。ここで、患者情報３００は、識別子として、患者ＩＤと、患者氏名とを含むが、いずれか一方を含めばよい。また、本実施形態において、患者の状態として、ＭＭＴの点数を示しているが、その他の方法で判定した点数であってもよい。なお、検査項目として検査Ａ、検査Ｂ、および検査Ｃの３種類の検査を含んでいるが、これは例示であり、本発明を限定するものではない。患者情報３００に含まれる検査の数に制限はない。
【００２２】
算出部１３０は、図２に示す検査情報２００と、図３に示す患者情報３００とに基づいて、患者に応じて、終了した検査または診察が行われた検査場所または診察場所から、該検査または診察の次の検査または診察が行われる次の検査場所または診察場所に移動するために必要な移動時間を算出する。また、算出部１３０は、取得部１２０が複数の患者情報を取得した場合には、その複数の患者のそれぞれについて、検査場所または診察場所から次の検査場所または診察場所に移動するために必要な時間を算出することができる。
【００２３】
算出部１３０は、検査情報２００には各検査が実施される検査場所が含まれているので、検査情報２００に基づいて、各検査間の距離を算出することができる。具体的には、算出部１３０は、例えば、記憶部１１０が医療機関の地図情報を保持しており、その地図情報に基づいて各検査間の距離を算出することができる。また、算出部１３０は、検査間の距離に基づいて、各検査間の移動時間を算出することができる。この場合、算出部１３０が、検査間の移動時間を算出するためには、例えば、記憶部１１０が麻痺などの患者の状態に応じた平均的な移動速度に関する情報を保持していればよい。
【００２４】
図４は、患者の状態と、記憶部１１０が保持する移動速度とを対応付けた速度情報４００の一例を示す図である。
【００２５】
図４に示すように、速度情報４００は、患者の状態ごとの移動速度に関する情報を含む。具体的には、速度情報４００において、例えば、点数が「０」の患者の移動速度は「V０」であることを示している。この場合、算出部１３０は、算出した検査間の距離を、速度情報４００に含まれる移動速度で除することによって、患者が検査間を移動するために必要な時間を算出することができる。
【００２６】
また、記憶部１１０は、速度情報ではなく、例えば、患者の状態と、各検査間を移動するために必要な移動時間を対応付けた対応情報を保持していてもよい。
【００２７】
図５は、患者の麻痺の状態と、移動時間とを対応付けた対応情報５００を示す図である。図５に示すように、対応情報５００は、患者の状態と、各検査間を移動するために必要な移動時間が対応付けられている。具体的には、対応情報５００において、点数が「０」の患者は、検査Ａ−検査Ｂ間の移動時間がＴ１、検査Ａ−検査Ｃ間の移動時間がＴ２、検査Ｂ−検査Ｃ間の移動時間がＴ３であることを意味している。なお、対応情報５００は、患者の状態が同じ点数の患者には共通の物を用いてもよいし、患者ごとの対応情報を用いてもよい。
【００２８】
このような場合、まず、取得部１２０は、例えば、図３に示す患者情報３００のうち、患者氏名「ＡＡＡＡ」の患者情報と、対応情報５００とを取得する。これにより、算出部１３０は、「ＡＡＡＡ」の患者の状態が「４」であり、かつ受ける検査が「検査Ａ」および「検査Ｃ」であることから、対応情報５００に基づいて、検査Ａ−検査Ｃ間に移動するための所要時間を「Ｔ１４」分と算出することができる。
【００２９】
なお、算出部１３０は、検査間の移動時間に限らず、検査をするために服を着替える時間などの患者が検査を受けるための準備にかかる時間をも算出してもよい。この場合、記憶部１１０が、患者の状態と、患者が検査を受けるための準備にかかる時間とを関連付けた情報を保持していればよい。これにより、算出部１３０は、患者が検査を受けるための準備にかかる時間を、検査間の移動時間を算出した方法と同様の方法で算出することができる。
【００３０】
生成部１４０は、検査情報、患者情報、および移動時間に基づいて患者の検査スケジュールを生成する。検査スケジュールについては後述するが、生成部１４０は、検査間の移動時間を、各検査間のマージンとして検査スケジュールを生成することができる。具体的には、患者氏名「ＡＡＡＡ」の患者が「検査Ａ」の後に「検査Ｃ」を実施する場合に、生成部１４０は、図２に示す検査Ｃの検査所要時間２０分に対し、マージンとして「Ｔ１４」分を付加して、検査スケジュールを生成する。ここで、検査間のマージンとは、例えば、検査場所から次の検査場所までに移動するために必要な移動時間、次の検査場所において検査をするために服を着替える時間を意味している。また、生成部１４０は、患者が検査を受けるための準備にかかる時間を、検査間のマージンとして設定してもよい。さらに、生成部１４０は、検査に応じて異なる幅のマージンを設定してもよい。これにより、生成部１４０は、検査と、検査間の移動時間とを関連付けて検査スケジュールを生成することができる。
【００３１】
また、生成部１４０は、取得部１２０が複数の患者の患者情報を取得した場合には、生成部１４０は複数の患者それぞれについて適切な検査間のマージンを設定した検査スケジュールを生成することができる。さらに、生成部１４０は、検査間のマージンを広く取る必要のある検査については、早い時間に優先的に検査を実施することができるように検査スケジュールを生成することができる。これは、検査間のマージンを広く取る必要のある検査が、複数の時間帯に亘ってスケジューリングされた場合に、各時間帯で多くの待ち時間が発生してしまう可能性があるためである。そのため、生成部１４０は、検査間のマージンを広く取る必要のある検査を、患者に対して優先的に実施できるように検査スケジュールを生成することで、より検査を受けるための待ち時間を低減することが可能となる。
【００３２】
生成部１４０は、検査スケジュールを生成した後、取得部１２０が緊急に検査を実施する必要のある緊急な患者の患者情報を取得した場合に、緊急の患者が優先的に検査を受けることができるように検査スケジュールを更新する。この場合、生成部１４０は、例えば、取得部１２０が緊急の患者の患者情報を取得した際に、自動的に検査スケジュールを更新することができる。なお、生成部１４０は、取得部１２０が緊急に検査を実施する必要のある緊急な患者の患者情報を取得した場合に、生成済の検査スケジュールを破棄してもよい。この場合、生成部１４０は、緊急の患者が優先的に検査を受けることのできる検査スケジュールを新たに生成する。
【００３３】
なお、生成部１４０が検査スケジュールを更新する例としては、緊急な患者が発生した場合に限定されない。生成部１４０は、例えば、検査機器のトラブルなどの理由で、予定と、実績とのずれが所定の閾値を超えた場合に、検査スケジュールを更新してもよい。
【００３４】
ここで、データ管理システム１００が生成する検査スケジュールについて説明する。図６Ａは、上記特許文献１に開示された、関連技術のデータ管理システムが生成する検査スケジュール６００の一例を示す図である。図６Ｂは、本実施形態に係るデータ管理システム１００が生成する検査スケジュール７００の一例を示す図である。ここでは、患者１および患者２が一連の検査Ａ、検査Ｂ、および検査Ｃを互いに異なる順序で受けるものとする。
【００３５】
図６Ａに示す検査スケジュール６００および図６Ｂに示す検査スケジュール７００は、縦軸が患者に関する情報を示し、横軸が検査に要する時間を示す検査スケジュールである。検査スケジュール６００および検査スケジュール７００は、患者１および患者２のそれぞれの、検査の予約状況（予約）を破線で、実際に検査に要した時間（実績）を実線で示している。具体的には、検査スケジュール６００および検査スケジュール７００には、患者１および患者２のそれぞれに対し、検査Ａ、検査Ｂ、および検査Ｃの３種類の検査についての予約および実績が含まれている。
【００３６】
検査スケジュール６００および検査スケジュール７００において、検査Ａ、検査Ｂ、および検査Ｃに特に制限はなく、例えば、ＭＲＩ（Magnetic Resonance Imaging：核磁気共鳴画像法）、ＣＴ（Computed Tomography：コンピュータ断面撮影）、脳波検査、および血液検査である。なお、検査スケジュール６００および検査スケジュール７００は、検査項目として検査Ａ、検査Ｂ、および検査Ｃの３種類の検査を含んでいるが、これは例示であり、本発明を限定するものではない。検査スケジュール６００および検査スケジュール７００に含まれる検査の数に制限はない。
【００３７】
また、検査スケジュール６００および検査スケジュール７００において、患者１および患者２は、それぞれが外来で検査に訪れた患者であってもよいし、医療機関に入院している患者であってもよい。また、患者１が外来の患者であって、患者２が入院している患者であってもよい。さらに、検査スケジュール６００および検査スケジュール７００に含まれる患者は、外来で検査に訪れた患者と、入院している患者とが混在していてもよい。
【００３８】
まず、本発明の第１の実施形態に係るデータ管理システム１００が生成する検査スケジュールの理解を容易にするために、図６Ａを参照して、上記特許文献１に開示されている、本発明の関連技術のデータ管理システムが生成する検査スケジュール６００について説明する。
【００３９】
検査スケジュール６００において、患者１の予約および患者２の予約を参照すると、患者１と、患者２との間で、同じ時間帯に同じ検査が重複しないようにスケジューリングされている。また、検査スケジュール６００においては、検査場所・診療場所に移動するために必要な時間を患者に応じて設定していないため、各検査間のマージンは、患者１と、患者２とで同じである。
【００４０】
しかしながら、患者２の予約と、実績とを参照すると、予約の時間と、実績の時間との間にずれが生じている。具体的には、患者２の検査Ｃを参照すると、検査Ｃを患者２に対して実施した時間は、予約した時間に比べて遅れている。これは、患者２が、例えば、麻痺などの状態により、各検査の検査場所に移動するために、想定していたよりも多くの時間が必要であったためである。そのため、患者２に対して検査Ｃを実施した実際の検査時間が、患者１の予約時間と重複してしまい、患者１に待ち時間が発生してしまっている。
【００４１】
すなわち、患者ごとに検査場所から次の検査場所に移動する時間は異なるので、関連技術のデータ管理システムの場合、患者の数および検査の数が多くなるにつれて、予約時間と、実際の検査時間とのずれが大きくなる可能性がある。この場合、検査スケジュール６００に従って患者に検査を実施した場合、患者は検査を受けるために長い時間待つ必要があったり、患者が検査を受けることができなかったり、医療機関が１日の間に検査を実施できる患者の数が減少したりする可能性がある。
【００４２】
次いで、図６Ｂを参照する。本発明の第１の実施形態に係るデータ管理システム１００が生成する検査スケジュール７００においては、患者１および患者２それぞれの検査Ａ、検査Ｂ、および検査Ｃの予約と、実績とが一致している。これは、データ管理システム１００は、患者の麻痺などの影響を考慮し、検査場所または診療場所から次の検査場所または診療場所まで移動するために必要な時間を患者に応じて設定したうえで、検査スケジュール７００を生成しているためである。
【００４３】
具体的には、データ管理システム１００は、図６Ｂに示すように、検査間の移動時間を考慮しているため、患者２の検査間のマージンを患者１の検査間のマージンに比べて広く設定している。そのため、検査スケジュール７００に従えば、患者１および患者２は検査で待ち時間が発生することなく、予定通りに検査を受けることができる。また、医療機関にとっても、効率的により多くの患者に対して検査を実施することができる。すなわち、データ管理システム１００は、患者の状態に応じて検査間の移動時間を考慮したことで、検査リソースを有効に活用できる検査スケジュールを生成することができる。このような検査スケジュールは、患者および医療機関の双方にとって望ましい効果を奏することができる。
【００４４】
なお、データ管理システム１００は、各検査において患者が服を着替える必要などがある場合には、服を着替える時間を各検査時間に含めて検査スケジュール７００を生成してもよい。また、データ管理システム１００は、服を着替える時間を検査間のマージンに含めて検査スケジュール７００を生成してもよい。
【００４５】
上述のとおり、データ管理システム１００は、予め医療機関の検査リソースを最適利用することのできる検査スケジュールを生成することができる。これにより、医療機関は、１日の間に、より多くの患者に対して検査を実施することができるようになる。このようなデータ管理システム１００は、例えば、１日の間に多くの患者に対して複数の検査を実施する集団検診などの検査スケジュールを生成する場合に、特に有効である。
【００４６】
［データ管理システム１００の動作］
図７は、データ管理システム１００の動作の流れを示すフローチャートである。以下、図１および図７を参照しつつ、データ管理システム１００の動作の流れについて説明する。
【００４７】
まず、取得部１２０は、外部から検査対象となる患者の患者情報を取得するとともに、記憶部１１０から患者情報に対応した検査情報を取得する（ステップＳ１０１）。
【００４８】
次いで、算出部１３０は、検査情報と、患者情報とに基づいて、検査場所または診察場所から、次の検査場所または診察場所に移動するために必要な移動時間を算出する（ステップＳ１０２）。
【００４９】
次いで、生成部１４０は、検査情報と、患者情報と、移動時間とに基づいて、検査と、検査間の移動時間とを関連付けた検査スケジュールを生成する（ステップＳ１０３）。
【００５０】
次に、緊急な患者が発生した場合に、データ管理システム１００が、検査スケジュールを更新する動作の流れについて説明する。
【００５１】
図８は、データ管理システム１００が、緊急な患者の患者情報を受け付けた場合に、現状の検査スケジュールを破棄し、検査スケジュールを新たに生成するまでの動作の流れを示すフローチャートである。
【００５２】
図７に示すステップＳ１０３において検査スケジュールを生成した後、緊急の患者が発生した場合、取得部１２０は、緊急の患者の患者情報を取得するとともに、記憶部１１０から患者情報に対応した検査情報を取得する（ステップＳ１０４）。
【００５３】
次いで、算出部１３０は、検査情報と、緊急の患者の患者情報とに基づいて、検査場所または診察場所から、次の検査場所または診察場所に移動するために必要な移動時間を算出する（ステップＳ１０５）。
【００５４】
次いで、生成部１４０は、ステップＳ１０４で取得した情報、およびステップＳ１０５で算出した移動時間に基づいて、緊急の患者が優先的に検査を受けられるように検査スケジュールを更新する（ステップＳ１０６）。
【００５５】
データ管理システム１００Ａは、緊急の患者の患者情報を取得した場合、上述のステップＳ１０４〜ステップＳ１０６を自動的に実施するように構成されている。このように構成することによって、データ管理システム１００Ａは、緊急な患者が発生し検査スケジュールを組み直す必要が生じた場合、緊急の患者が優先的に検査を受けることのできるように検査スケジュールを迅速に更新することができる。
【００５６】
［第２の実施形態］
図９は、本発明の第２の実施形態に係るデータ管理システム１００Ａの構成を示すブロック図である。
【００５７】
図９に示すように、データ管理システム１００Ａは、記憶部１１０と、取得部１２０と、算出部１３０と、生成部１４０と、学習部１５０とを備える。
【００５８】
学習部１５０は、機械学習によって、検査情報および患者情報の相関性を学習するように構成されている。学習部１５０は、例えば、患者の麻痺の状態と、検査場所または診察場所から次の検査場所または診察場所に移動するために必要な移動時間とを対応付けたモデル式を算出し、そのモデル式を複数の患者に亘って繰り返し学習する。これにより、学習部１５０は、患者の麻痺の状態と、移動時間との間の相関性を学習することができる。また、学習部１５０は、患者の麻痺の状態に限らず、患者の運動機能、年齢、意識レベル、および認知レベルと、移動時間との間の相関性について学習してもよい。
【００５９】
また、学習部１５０は、学習した結果を学習結果として記憶する記憶領域（図示せず）を備えている。ここで、学習部１５０は、学習結果を自身の記憶領域の代わりに記憶部１１０に格納してもよい。データ管理システム１００Ａにおいては、生成部１４０は、検査情報、患者情報、および学習部１５０の学習結果に基づいて検査スケジュールを生成する。
【００６０】
［データ管理システム１００Ａの動作］
図１０は、データ管理システム１００Ａが、機械学習の学習結果に基づいて検査スケジュールを生成するまでの動作の流れを示すフローチャートである。以下、図１０を参照しつつ、データ管理システム１００Ａの動作の流れについて説明する。
【００６１】
まず、学習部１５０は、外部から患者情報を受け付けて、記憶部１１０から検査情報を取得する（ステップＳ２０１）。次いで、学習部１５０は、患者情報と、検査情報との間の相関性を機械学習によって学習する（ステップＳ２０２）。
【００６２】
生成部１４０は、学習部１５０の学習結果を受け付ける（ステップＳ２０３）。そして、生成部１４０は、学習結果に基づいて検査スケジュールを生成する（ステップＳ２０４）。
【００６３】
上述の通り、データ管理システム１００Ａは、患者情報と、検査情報との間の相関性を機械学習によって学習している。これにより、データ管理システム１００Ａは、患者ごとに検査場所または診察場所から次の検査場所または診察場所まで移動するために必要な移動時間をより正確に反映させた検査スケジュールを生成することができる。
【００６４】
［データ管理システムのハードウエア構成］
上述のデータ管理システム１００およびデータ管理システム１００Ａは、ハードウエアによって実現してもよいし、ソフトウエアによって実現してもよい。また、データ管理システム１００およびデータ管理システム１００Ａは、ハードウエアとソフトウエアの組み合わせによって実現してもよい。
【００６５】
図１１は、データ管理システム１００およびデータ管理システム１００Ａを構成する情報処理装置（コンピュータ）の一例を示すブロック図である。
【００６６】
図１１に示すように、情報処理装置８００は、制御部（ＣＰＵ：Central Processing Unit）８１０と、記憶部８２０と、ＲＯＭ（Read Only Memory）８３０と、ＲＡＭ（Random Access Memory）８４０と、通信インターフェース８５０と、ユーザインターフェース８６０とを備えている。
【００６７】
制御部（ＣＰＵ）８１０は、記憶部８２０またはＲＯＭ８３０に格納されたプログラムをＲＡＭ８４０に展開して実行することで、データ管理システム１００およびデータ管理システム１００Ａの各種の機能を実現することができる。また、制御部（ＣＰＵ）８１０は、データなどを一時的に格納できる内部バッファを備えていてもよい。
【００６８】
記憶部８２０は、各種のデータを保持できる大容量の記憶媒体であって、ＨＤＤ（Hard Disk Drive）およびＳＳＤ（Solid State Drive）などの記憶媒体で実現することができる。また、記憶部８２０は、情報処理装置８００が通信インターフェース８５０を介して通信ネットワークと接続されている場合には、通信ネットワーク上に存在するクラウドストレージであってもよい。また、記憶部８２０は、制御部（ＣＰＵ）８１０が読み取り可能なプログラムを保持していてもよい。
【００６９】
ＲＯＭ８３０は、記憶部８２０と比べると小容量なフラッシュメモリなどで構成できる不揮発性の記憶装置である。また、ＲＯＭ８３０は、制御部（ＣＰＵ）８１０が読み取り可能なプログラムを保持していてもよい。なお、制御部（ＣＰＵ）８１０が読み取り可能なプログラムは、記憶部８２０およびＲＯＭ８３０の少なくとも一方が保持していればよい。
【００７０】
なお、制御部（ＣＰＵ）８１０が読み取り可能なプログラムは、コンピュータが読み取り可能な様々な記憶媒体に非一時的に格納した状態で、情報処理装置８００に供給されてもよい。このような記憶媒体は、例えば、磁気テープ、磁気ディスク、光磁気ディスク、ＣＤ−ＲＯＭ（Compact Disc-Read Only Memory）、ＣＤ−Ｒ（Compact Disc- Recordable）、ＣＤ−ＲＷ（Compact Disc-ReWritable）、半導体メモリである。
【００７１】
ＲＡＭ８４０は、ＤＲＡＭ（Dynamic Random Access Memory）およびＳＲＡＭ（Static Random Access Memory）などの半導体メモリであり、データなどを一時的に格納する内部バッファとして用いることができる。
【００７２】
通信インターフェース８５０は、有線または無線を介して、情報処理装置８００と、通信ネットワークとを接続するインターフェースである。
【００７３】
ユーザインターフェース８６０は、例えば、ディスプレイなどの表示部、およびキーボード、マウス、タッチパネルなどの入力部である。
【００７４】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００７５】
上記の実施形態の一部又は全部は、以下の付記のようにも記載されうるが、以下には限られない。
【００７６】
（付記１）複数の検査の検査名を含む検査項目、検査が行われる検査場所、診察が行われる診察場所、および各検査に要する検査所要時間を少なくとも含む検査情報を記憶する記憶部と；検査対象となる患者を識別するための識別子および重症度に関する患者情報を取得する取得部と；前記患者情報と、前記検査情報とに基づいて、前記患者に応じて、終了した検査または診察が行われた検査場所または診察場所から、前記検査または診察の次の検査または診察が行われる次の検査場所または診察場所に移動するために必要な移動時間を算出する算出部と；前記検査情報、前記患者情報、および前記移動時間に基づいて、前記患者の検査スケジュールを生成する生成部とを備える、データ管理システム。
【００７７】
（付記２）前記検査情報および前記患者情報の相関性について機械学習を行う学習部を更に備え、前記生成部は、前記学習部の学習結果に基づいて前記検査スケジュールを生成する、付記１に記載のデータ管理システム。
【００７８】
（付記３）前記取得部が複数の患者についての前記患者情報を取得した場合、前記算出部は、前記複数の患者のそれぞれについて前記検査場所または診察場所から前記次の検査場所または診察場所に移動するために必要な移動時間を算出し、前記生成部は、前記複数の患者それぞれの前記検査情報、前記患者情報、および前記移動時間に基づいて、前記複数の患者それぞれの前記検査スケジュールを生成する、付記１または２に記載のデータ管理システム。
【００７９】
（付記４）前記生成部は、前記患者の状態が前記検査所要時間に影響を与える度合いに応じて、前記検査項目に含まれる前記検査名の検査に優先順位を設け、該優先順位を考慮した前記検査スケジュールを生成する、付記１〜３のいずれか１項に記載のデータ管理システム。
【００８０】
（付記５）前記生成部は、前記取得部が緊急な患者が発生した情報を受け付けた場合、前記緊急な患者が優先的に検査を受けることができるように前記検査スケジュールを自動で更新する、付記１〜４のいずれか１項に記載のデータ管理システム。
【００８１】
（付記６）前記患者情報は、前記患者の麻痺状態、年齢、意識レベル、認知レベル、および運動機能の少なくとも１つを含む、付記１〜５のいずれか１項に記載のデータ管理システム。
【００８２】
（付記７）情報処理装置によって、複数の検査の検査名を含む検査項目、検査が行われる検査場所、診察が行われる診察場所、および各検査に要する検査所要時間を少なくとも含む検査情報を記憶し、検査対象となる患者を識別するための識別子および重症度に関する患者情報を取得し、前記患者情報と、前記検査情報とに基づいて、前記患者に応じて、終了した検査または診察が行われた検査場所または診察場所から、前記検査または診察の次の検査または診察が行われる次の検査場所または診察場所に移動するために必要な移動時間を算出し、前記検査情報、前記患者情報、および前記移動時間に基づいて、前記患者の検査スケジュールを生成する、データ管理方法。
【００８３】
（付記８）前記情報処理装置によって、前記検査情報および前記患者情報の相関性について機械学習を行い、前記機械学習の学習結果に基づいて前記検査スケジュールを生成する、付記７に記載のデータ管理方法。
【００８４】
（付記９）複数の患者についての前記患者情報を取得した場合、前記情報処理装置によって、前記複数の患者のそれぞれについて前記検査場所又は診察場所から前記次の検査場所または診察場所に移動するために必要な移動時間を算出し、前記複数の患者それぞれの前記検査情報、前記患者情報、および前記移動時間に基づいて、前記複数の患者それぞれの前記検査スケジュールを生成する、付記７または８に記載のデータ管理方法。
【００８５】
（付記１０）前記情報処理装置によって、前記患者の状態が前記検査所要時間に影響を与える度合いに応じて、前記検査項目に含まれる前記検査名の検査に優先順位を設け、該優先順位を考慮した前記検査スケジュールを生成する、付記７〜９のいずれか１項に記載のデータ管理方法。
【００８６】
（付記１１）前記取得部が緊急な患者が発生した情報を受け付けた場合、前記情報処理装置によって、前記緊急な患者が優先的に検査を受けることができるように前記検査スケジュールを自動で更新する、付記７〜１０のいずれか１項に記載のデータ管理方法。
【００８７】
（付記１２）前記患者情報は、前記患者の麻痺状態、年齢、意識レベル、認知レベル、および運動機能の少なくとも１つを含む、付記７〜１１のいずれか１項に記載のデータ管理方法。
【００８８】
（付記１３）コンピュータに、複数の検査の検査名を含む検査項目、検査が行われる検査場所、診察が行われる診察場所、および各検査に要する検査所要時間を少なくとも含む検査情報を記憶する処理と、検査対象となる患者を識別するための識別子および重症度に関する患者情報を取得する処理と、前記患者情報と、前記検査情報とに基づいて、前記患者に応じて、終了した検査または診察が行われた検査場所または診察場所から、前記検査または診察の次の検査または診察が行われる次の検査場所または診察場所に移動するために必要な移動時間を算出する処理と、前記検査情報、前記患者情報、および前記移動時間に基づいて、前記患者の検査スケジュールを生成する処理とを実行させる、データ管理プログラムを記録した記録媒体。
【００８９】
（付記１４）前記データ管理プログラムは、前記コンピュータに、前記検査情報および前記患者情報の相関性について機械学習を行う処理と、前記機械学習の学習結果に基づいて前記検査スケジュールを生成する処理とを実行させる、付記１３に記載のデータ管理プログラム記録媒体。
【００９０】
（付記１５）前記データ管理プログラムは、前記コンピュータに、複数の患者についての前記患者情報を取得した場合、前記複数の患者のそれぞれについて前記検査場所または診察場所から前記次の検査場所または診察場所に移動するために必要な移動時間を算出する処理と、前記複数の患者それぞれの前記検査情報、前記患者情報、および前記移動時間に基づいて、前記複数の患者それぞれの前記検査スケジュールを生成する処理とを実行させる、付記１３または１４に記載のデータ管理プログラム記録媒体。
【００９１】
（付記１６）前記データ管理プログラムは、前記コンピュータに、前記患者の状態が前記検査所要時間に影響を与える度合いに応じて、前記検査項目に含まれる前記検査名の検査に優先順位を設け、該優先順位を考慮した前記検査スケジュールを生成する処理を実行させる、付記１３〜１５のいずれか１項に記載のデータ管理プログラム記録媒体。
【００９２】
(付記１７)前記データ管理プログラムは、前記コンピュータに、前記取得部が緊急な患者が発生した情報を受け付けた場合、前記緊急な患者が優先的に検査を受けることができるように前記検査スケジュールを自動で更新する処理を実行させる、付記１３〜１６のいずれか１項に記載のデータ管理プログラム記録媒体。
【００９３】
(付記１８)前記患者情報は、前記患者の麻痺状態、年齢、意識レベル、認知レベル、および運動機能の少なくとも１つを含む、付記１３〜１７のいずれか１項に記載のデータ管理プログラム記録媒体。
【００９４】
この出願は、２０１７年８月３０日に出願された日本出願特願２０１７−１６５６０６を基礎とする優先権を主張し、その開示の全てをここに取り込む。
【符号の説明】
【００９５】
１００，１００Ａ・・・データ管理システム
１１０・・・記憶部
１２０・・・取得部
１３０・・・算出部
１４０・・・生成部
１５０・・・学習部
２００・・・検査情報
３００・・・患者情報
４００・・・速度情報
５００・・・対応情報
６００，７００・・・検査スケジュール
８００・・・情報処理装置
８１０・・・制御部（ＣＰＵ）
８２０・・・記憶部
８３０・・・ＲＯＭ
８４０・・・ＲＡＭ
８５０・・・通信インターフェース
８６０・・・ユーザインターフェース
【図１】
2019044621.tif 000003
【図２】
2019044621.tif 000004
【図３】
2019044621.tif 000005
【図４】
2019044621.tif 000006
【図５】
2019044621.tif 000007
【図６Ａ】
2019044621.tif 000008
【図６Ｂ】
2019044621.tif 000009
【図７】
2019044621.tif 000010
【図８】
2019044621.tif 000011
【図９】
2019044621.tif 000012
【図１０】
2019044621.tif 000013
【図１１】
2019044621.tif 000014
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
複数の検査の検査名を含む検査項目、検査が行われる検査場所、診察が行われる診察場所、および各検査に要する検査所要時間を少なくとも含む検査情報を記憶する記憶部と、
検査対象となる患者を識別するための識別子および重症度に関する患者情報を取得する取得部と、
前記患者情報と、前記検査情報とに基づいて、前記患者に応じて、終了した検査または診察が行われた検査場所または診察場所から、前記検査または診察の次の検査または診察が行われる次の検査場所または診察場所に移動するために必要な移動時間を算出する算出部と、
前記検査情報、前記患者情報、および前記移動時間に基づいて、前記患者の検査スケジュールを生成する生成部とを備える、データ管理システム。
【請求項２】
前記検査情報および前記患者情報の相関性について機械学習を行う学習部を更に備え、
前記生成部は、前記学習部の学習結果に基づいて前記検査スケジュールを生成する、請求項１に記載のデータ管理システム。
【請求項３】
前記取得部が複数の患者についての前記患者情報を取得した場合、
前記算出部は、前記複数の患者のそれぞれについて前記検査場所または診察場所から前記次の検査場所または診察場所に移動するために必要な移動時間を算出し、
前記生成部は、前記複数の患者それぞれの前記検査情報、前記患者情報、および前記移動時間に基づいて、前記複数の患者それぞれの前記検査スケジュールを生成する、請求項１または２に記載のデータ管理システム。
【請求項４】
前記生成部は、前記患者の状態が前記検査所要時間に影響を与える度合いに応じて、前記検査項目に含まれる前記検査名の検査に優先順位を設け、該優先順位を考慮した前記検査スケジュールを生成する、請求項１〜３のいずれか１項に記載のデータ管理システム。
【請求項５】
前記生成部は、前記取得部が緊急な患者が発生した情報を受け付けた場合、前記緊急な患者が優先的に検査を受けることができるように前記検査スケジュールを自動で更新する、請求項１〜４のいずれか１項に記載のデータ管理システム。
【請求項６】
前記患者情報は、前記患者の麻痺状態、年齢、意識レベル、認知レベル、および運動機能の少なくとも１つを含む、請求項１〜５のいずれか１項に記載のデータ管理システム。
【請求項７】
情報処理装置によって、複数の検査の検査名を含む検査項目、検査が行われる検査場所、診察が行われる診察場所、および各検査に要する検査所要時間を少なくとも含む検査情報を記憶し、
検査対象となる患者を識別するための識別子および重症度に関する患者情報を取得し、
前記患者情報と、前記検査情報とに基づいて、前記患者に応じて、終了した検査または診察が行われた検査場所または診察場所から、前記検査または診察の次の検査または診察が行われる次の検査場所または診察場所に移動するために必要な移動時間を算出し、
前記検査情報、前記患者情報、および前記移動時間に基づいて、前記患者の検査スケジュールを生成する、データ管理方法。
【請求項８】
前記情報処理装置によって、前記検査情報および前記患者情報の相関性について機械学習を行い、
前記機械学習の学習結果に基づいて前記検査スケジュールを生成する、請求項７に記載のデータ管理方法。
【請求項９】
複数の患者についての前記患者情報を取得した場合、
前記情報処理装置によって、前記複数の患者のそれぞれについて前記検査場所又は診察場所から前記次の検査場所または診察場所に移動するために必要な移動時間を算出し、
前記複数の患者それぞれの前記検査情報、前記患者情報、および前記移動時間に基づいて、前記複数の患者それぞれの前記検査スケジュールを生成する、請求項７または８に記載のデータ管理方法。
【請求項１０】
コンピュータに、
複数の検査の検査名を含む検査項目、検査が行われる検査場所、診察が行われる診察場所、および各検査に要する検査所要時間を少なくとも含む検査情報を記憶する処理と、
検査対象となる患者を識別するための識別子および重症度に関する患者情報を取得する処理と、
前記患者情報と、前記検査情報とに基づいて、前記患者に応じて、終了した検査または察が行われた検査場所または診察場所から、前記検査または診察の次の検査または診察が行われる次の検査場所または診察場所に移動するために必要な移動時間を算出する処理と、
前記検査情報、前記患者情報、および前記移動時間に基づいて、前記患者の検査スケジュールを生成する処理とを実行させる、データ管理プログラム。
【手続補正３】
【補正対象書類名】明細書
【補正対象項目名】０００１
【補正方法】変更
【補正の内容】
【０００１】
本発明は、データ管理システム、データ管理方法、およびデータ管理プログラムに関する。
【手続補正４】
【補正対象書類名】明細書
【補正対象項目名】０００６
【補正方法】変更
【補正の内容】
【０００６】
本発明の目的は、上述の課題を解決できるデータ管理システム、データ管理方法、およびデータ管理プログラムを提供することにある。
【手続補正５】
【補正対象書類名】明細書
【補正対象項目名】０００９
【補正方法】変更
【補正の内容】
【０００９】
本発明の第３の態様のデータ管理プログラムは、コンピュータに、複数の検査の検査名を含む検査項目、検査が行われる検査場所、診察が行われる診察場所、および各検査に要する検査所要時間を少なくとも含む検査情報を記憶する処理と、検査対象となる患者を識別するための識別子および重症度に関する患者情報を取得する処理と、前記患者情報と、前記検査情報とに基づいて、前記患者に応じて、終了した検査または診察が行われた検査場所または診察場所から、前記検査または診察の次の検査または次の診察が行われる次の検査場所または診察場所に移動するために必要な移動時間を算出する処理と、前記検査情報、前記患者情報、および前記移動時間に基づいて、前記患者の検査スケジュールを生成する処理とを実行させる。
【手続補正６】
【補正対象書類名】明細書
【補正対象項目名】００１０
【補正方法】変更
【補正の内容】
【００１０】
本発明によれば、患者の状態に応じて検査間の移動時間を考慮することで、検査リソースを有効に活用できる検査スケジュールを生成するデータ管理システム、データ管理方法、およびデータ管理プログラムを提供することができる。
【手続補正７】
【補正対象書類名】明細書
【補正対象項目名】００１８
【補正方法】変更
【補正の内容】
【００１８】
意識レベルおよび認知レベルとしては、例えば、ＪＣＳ（Japan Coma Scale）および日常生活自立度で判定できる値を使用すればよい。なお、本実施形態において、意識レベルおよび認知レベルを判定する方法はＪＣＳおよび日常生活自立度に限定されず、その他の方法で患者の意識レベルおよび認知レベルを判定してもよい。
【手続補正８】
【補正対象書類名】明細書
【補正対象項目名】００２２
【補正方法】変更
【補正の内容】
【００２２】
算出部１３０は、図２に示す検査情報２００と、図３に示す患者情報３００とに基づいて、患者に応じて、終了した検査または診察が行われた検査場所または診察場所から、該検査または診察の次の検査または診察が行われる次の検査場所または診察場所に移動するために必要な移動時間を算出する。また、算出部１３０は、取得部１２０が複数の患者に関する患者情報を取得した場合には、その複数の患者のそれぞれについて、検査場所または診察場所から次の検査場所または診察場所に移動するために必要な移動時間を算出することができる。
【手続補正９】
【補正対象書類名】明細書
【補正対象項目名】００５５
【補正方法】変更
【補正の内容】
【００５５】
データ管理システム１００は、緊急の患者の患者情報を取得した場合、上述のステップＳ１０４〜ステップＳ１０６を自動的に実施するように構成されている。このように構成することによって、データ管理システム１００は、緊急な患者が発生し検査スケジュールを組み直す必要が生じた場合、緊急の患者が優先的に検査を受けることのできるように検査スケジュールを迅速に更新することができる。
【手続補正１０】
【補正対象書類名】明細書
【補正対象項目名】００８８
【補正方法】変更
【補正の内容】
【００８８】
（付記１３）コンピュータに、複数の検査の検査名を含む検査項目、検査が行われる検査場所、診察が行われる診察場所、および各検査に要する検査所要時間を少なくとも含む検査情報を記憶する処理と、検査対象となる患者を識別するための識別子および重症度に関する患者情報を取得する処理と、前記患者情報と、前記検査情報とに基づいて、前記患者に応じて、終了した検査または診察が行われた検査場所または診察場所から、前記検査または診察の次の検査または診察が行われる次の検査場所または診察場所に移動するために必要な移動時間を算出する処理と、前記検査情報、前記患者情報、および前記移動時間に基づいて、前記患者の検査スケジュールを生成する処理とを実行させる、データ管理プログラム。
【手続補正１１】
【補正対象書類名】明細書
【補正対象項目名】００８９
【補正方法】変更
【補正の内容】
【００８９】
（付記１４）前記データ管理プログラムは、前記コンピュータに、前記検査情報および前記患者情報の相関性について機械学習を行う処理と、前記機械学習の学習結果に基づいて前記検査スケジュールを生成する処理とを実行させる、付記１３に記載のデータ管理プログラム。
【手続補正１２】
【補正対象書類名】明細書
【補正対象項目名】００９０
【補正方法】変更
【補正の内容】
【００９０】
（付記１５）前記データ管理プログラムは、前記コンピュータに、複数の患者についての前記患者情報を取得した場合、前記複数の患者のそれぞれについて前記検査場所または診察場所から前記次の検査場所または診察場所に移動するために必要な移動時間を算出する処理と、前記複数の患者それぞれの前記検査情報、前記患者情報、および前記移動時間に基づいて、前記複数の患者それぞれの前記検査スケジュールを生成する処理とを実行させる、付記１３または１４に記載のデータ管理プログラム。
【手続補正１３】
【補正対象書類名】明細書
【補正対象項目名】００９１
【補正方法】変更
【補正の内容】
【００９１】
（付記１６）前記データ管理プログラムは、前記コンピュータに、前記患者の状態が前記検査所要時間に影響を与える度合いに応じて、前記検査項目に含まれる前記検査名の検査に優先順位を設け、該優先順位を考慮した前記検査スケジュールを生成する処理を実行させる、付記１３〜１５のいずれか１項に記載のデータ管理プログラム。
【手続補正１４】
【補正対象書類名】明細書
【補正対象項目名】００９２
【補正方法】変更
【補正の内容】
【００９２】
(付記１７)前記データ管理プログラムは、前記コンピュータに、前記取得部が緊急な患者が発生した情報を受け付けた場合、前記緊急な患者が優先的に検査を受けることができるように前記検査スケジュールを自動で更新する処理を実行させる、付記１３〜１６のいずれか１項に記載のデータ管理プログラム。
【手続補正１５】
【補正対象書類名】明細書
【補正対象項目名】００９３
【補正方法】変更
【補正の内容】
【００９３】
(付記１８)前記患者情報は、前記患者の麻痺状態、年齢、意識レベル、認知レベル、および運動機能の少なくとも１つを含む、付記１３〜１７のいずれか１項に記載のデータ管理プログラム。
【国際調査報告】
2019044621.tif 000015
2019044621.tif 000016
2019044621.tif 000017
2019044621.tif 000018